(57)【要約】【課題】この発明は、空気流の下流側の電気部品が確実に冷却されるエレベータの制御装置を得る。【解決手段】この発明のエレベータは、制御盤用ケース３と、この制御盤用ケース３内に設けられエレベータの運転を制御する電気部品である第１の発熱体４と、この第１の発熱体４を冷却する冷却用ファン５と、この冷却用ファン５により流れる空気の下流側に設けられ第１の発熱体４よりも高温の電気部品である第２の発熱体９と、制御盤用ケース３に隣接して設けられたダクト８とを備え、空気は、ダクト８を通じて第２の発熱体９に流れるようになっている。【選択図】        図１
2004269244.tif 000002
【特許請求の範囲】
【請求項１】
制御盤用ケースと、この制御盤用ケース内に設けられエレベータの運転を制御する電気部品である第１の発熱体と、この第１の発熱体を冷却する冷却用ファンと、この冷却用ファンにより流れる空気の下流側に設けられ前記第１の発熱体よりも高温の電気部品である第２の発熱体と、前記制御盤用ケースに隣接して設けられたダクトとを備え、前記空気は、前記ダクトを通じて前記第２の発熱体に流れるようになっているエレベータの制御装置。
【請求項２】
前記第２の発熱体の少なくとも一部は前記ダクト内に突出している請求項１に記載のエレベータの制御装置。
【請求項３】
前記第１の発熱体は、第１の発熱体からの熱を吸収し、かつ放出する熱伝達体に固定されており、前記熱伝達体の前記熱を放出する放熱部が前記冷却用ファンに対向している請求項１または請求項２に記載のエレベータの制御装置。
【請求項４】
前記制御盤用ケースは、壁面に固定ブロックを介して固定され、前記ダクトは、前記制御盤用ケースと前記壁面との間の空間部に配置されている請求項１ないし請求項３の何れかに記載のエレベータの制御装置。
【請求項５】
前記制御盤用ケースは、前記ダクトを介して前記第２の発熱体を収納した付属盤用ケースに接続されており、かつ前記付属盤用ケースは壁面から離間して配置されている請求項１ないし請求項３の何れかに記載のエレベータの制御装置。
【請求項６】
前記制御盤用ケースと前記付属盤用ケースとの渡り線が、前記制御盤用ケースおよび前記付属盤用ケースの底部から高さ方向に離れて設けられている請求項５に記載のエレベータの制御装置。
【請求項７】
制御盤用ケースと、この制御盤用ケース内に設けられエレベータの運転を制御する電気部品である発熱体と、前記制御盤用ケースを貫通したダクトと、前記発熱体に固定され発熱体からの熱を吸収し、かつ放出するとともに放熱する放熱部が前記ダクト内に突出している熱伝達体と、前記ダクト内に設けられ前記放熱部に対向した冷却用ファンと、前記ダクトに形成された通気孔の近傍に設けられダクトの流路面積を縮小させ、ダクトの外部の空気をダクト内に導く案内部材とを備えたエレベータの制御装置。
【請求項８】
前記熱伝達体は、ヒートパイプと、このヒートパイプを埋設した良熱伝導性の金属ブロックと、この金属ブロックと一体で前記放熱部である放熱フィンとを備えた請求項２ないし請求項７の何れかに記載のエレベータの制御装置。
【発明の詳細な説明】
【０００１】
【発明の属する技術分野】
この発明は、制御盤用ケースと、この制御盤用ケース内に設けられエレベータの運転を制御する電気部品である発熱体と、この発熱体を冷却する冷却用ファンと、この冷却用ファンにより流れる空気を発熱体に導くダクトとを備えたエレベータの制御装置に関するものである。
【０００２】
【従来の技術】
従来、エレベータの制御装置として、エレベータ制御用の各種の電気部品を収納し、冷却空気流入口および冷却空気流出口を有する筐体と、電気部品のうち要放熱電気部品が実装された放熱フィンと、要放熱電気部品を冷却する空気流を生じさせる冷却ファンとを備えたエレベータの制御装置が知られている（例えば、特許文献１参照）。
【０００３】
【特許文献１】
特開平４−３３８０７４号公報（図３）
【０００４】
【発明が解決しようとする課題】
従来のエレベータの制御装置では、空気流の下流側の電気部品が上流側の電気部品の影となり、下流側の電気部品に空気流が確実に到達せず、下流側の電気部品の冷却効率が低下してしまうという問題点があった。
【０００５】
この発明は、かかる問題点を解決することを課題とするものであって、空気流の下流側の電気部品が確実に冷却されるエレベータの制御装置を得ることを目的とする。
【０００６】
【課題を解決するための手段】
この発明に係るエレベータの制御装置は、制御盤用ケースと、この制御盤用ケース内に設けられエレベータの運転を制御する電気部品である第１の発熱体と、この第１の発熱体を冷却する冷却用ファンと、この冷却用ファンにより流れる空気の下流側に設けられ前記第１の発熱体よりも高温の電気部品である第２の発熱体と、前記制御盤用ケースに隣接して設けられたダクトとを備え、前記空気は、前記ダクトを通じて前記第２の発熱体に流れるようになっている。
【０００７】
また、この発明に係るエレベータの制御装置は、制御盤用ケースと、この制御盤用ケース内に設けられエレベータの運転を制御する電気部品である発熱体と、前記制御盤用ケースを貫通したダクトと、前記発熱体に固定され発熱体からの熱を吸収し、かつ放出するとともに放熱する放熱部が前記ダクト内に突出している熱伝達体と、前記ダクト内に設けられ前記放熱部に対向した冷却用ファンと、前記ダクトに形成された通気孔の近傍に設けられダクトの流路面積を縮小させ、ダクトの外部の空気をダクト内に導く案内部材とを備えている。
【０００８】
【発明の実施の形態】
以下、この発明の各実施の形態のエレベータの制御装置について説明するが、各図において、同一、相当部材、部位については、同一符号を付して説明する。実施の形態１．
図１はこの発明の実施の形態１のエレベータの制御装置の正面図、図２は図１のＩＩ−ＩＩ線に沿った断面図である。
このエレベータの制御装置は、昇降路壁面１に固定ブロック２を介して固定された制御盤用ケース３と、この制御盤用ケース３内に設けられエレベータの運転を制御するインバータのスイッチング素子である第１の発熱体４と、この第１の発熱体４が下側で固定され第１の発熱体４からの熱を吸収し、かつ放出する熱伝達体６と、この熱伝達体６の熱を放出する放熱フィン７に対向した冷却用ファン５と、制御盤用ケース３と昇降路壁面１との間の空間部Ａに配置されているとともに冷却用ファン５により流れる空気の通路となるダクト８と、このダクト８の下流側に設けられダクト８内に一部が突出した抵抗体である第２の発熱体９とを備えている。
熱伝達体６は、ヒートパイプ（図示せず）と、このヒートパイプを埋設した良熱伝導性のアルミニウム製の金属ブロック１０と、この金属ブロック１０と一体の放熱フィン７とを備えている。
【０００９】
このエレベータの制御装置では、冷却用ファン５の回転により、外部の空気が冷却用ファン５を通じて放熱フィン７に向かって流れる。そこでは、第１の発熱体４からの熱がヒートパイプを通じて放熱フィン７に伝達されており、空気の通過とともに放熱フィン７が冷却され、第１の発熱体４が間接的に冷却される。引き続き、空気は、図２の矢印Ｂに示すようにダクト８を通じて第１の発熱体４よりも高温の第２の発熱体９に向かって流れ、第２の発熱体９を冷却し、その後外部に排出される。
【００１０】
図３は図１のエレベータの制御装置が運搬される時の様子を示しており、第２の発熱体９は制御盤用ケース３内に収納されているとともに、ダクト８は制御盤用ケース３から取り外されているので、制御盤用ケース３からは突出物は無く、円滑に運搬される。
なお、図４に示すように、第２の発熱体９がダクト８内に突出したことで生じる空間にエレベータ保守専用機器１１を取り付けるようにしてもよい。
【００１１】
上記構成のエレベータの制御装置によれば、第１の発熱体４を冷却した空気は、制御盤用ケース３に隣接して設けられたダクト８を通じて直接第２の発熱体９に向かって流れるようになっているので、冷却用の空気は第２の発熱体９に確実に到達し、第２の発熱体９の冷却効率が向上する。
【００１２】
また、第２の発熱体９の一部はダクト８内に突出しているので、第２の発熱体９はより多くの空気にさらされので、第２の発熱体９の冷却効率はより向上する。また、第２の発熱体９がダクト８内に突出したことで生じる空間にエレベータ保守専用機器１１を取り付けるようにして、空間を有効利用することもできる。また、保守専用機器１１が不要のときには、その空間分の制御盤用ケースの外形寸法を小さくすることもできる。
【００１３】
また、第１の発熱体４は、第１の発熱体４からの熱を吸収し、かつ放出する熱伝達体６に固定されており、熱伝達体６の熱を放出する放熱フィン７が冷却用ファン５に対向しているので、第１の発熱体４の熱は放熱フィン７を通じて効率良く冷却され、制御盤用ケース３内の温度上昇を抑制することができる。また、第１の発熱体４を冷却用ファン５に対向させる必要性が無く、第１の発熱体４および冷却用ファン５の設計自由度が向上する。
【００１４】
また、制御盤用ケース３は、ダクト８は、制御盤用ケース３と昇降路壁面１との間の空間部Ａに配置されており、ダクト８用にわざわざスペースを確保する必要性がない。
【００１５】
なお、上記の実施の形態では、第２の発熱体９の一部が、ダクト８内に突出していたが、第２の発熱体の全体がダクト内に突出するようにしてもよい。
また、第２の発熱体が制御盤用ケース内で、かつダクトの出口に配設されていてもよい。
また、第１の発熱体が直接冷却用ファンに対向して設けられ、冷却用ファンにより直接第１の発熱体が冷却されるようにしてもよい。この場合には、勿論熱伝達対は不要である。
【００１６】
実施の形態２．
図５はこの発明の実施の形態２のエレベータの制御装置の断面図である。
この実施の形態のエレベータの制御装置では、制御盤用ケース３は、ダクト２０を介して第２の発熱体９を収納した付属盤用ケース２１に接続されており、かつ付属盤用ケース２１は機械室壁面２２から離間して配置されている。また、制御盤用ケース３および付属盤用ケース２１の底部には渡り線用ダクト２４が設けられており、この渡り線用ダクト２４内には制御盤用ケース３内の電気部品と付属盤用ケース２１内の電気部品とを接続する渡り線２３が延設されている。
【００１７】
このエレベータの制御装置では、冷却用ファン５の回転により、外部の空気が矢印Ｃに示すように冷却用ファン５を通じて放熱フィン７に向かって流れる。そこでは、第１の発熱体４からの熱がヒートパイプを通じて放熱フィン７に伝達されており、空気の通過とともに放熱フィン７が冷却され、第１の発熱体４が間接的に冷却される。
引き続き、空気は、矢印Ｄに示すようにダクト２０を通じて付属盤用ケース２１内に流入し、付属盤用ケース２１を貫通したダクト２０により案内されて第２の発熱体９に向かって流れ、第２の発熱体９は冷却される。その後、空気は、付属盤用ケース２１と機械室壁面２２との間の空間部Ｅに排出される。
【００１８】
このエレベータの制御装置によれば、第１の発熱体４の下流側に配置された第２の発熱体９はダクト９内に設けられており、冷却用の空気はダクト９に案内されて第２の発熱体９に確実に到達し、第２の発熱体９の冷却効率が向上する。
また、それぞれのケース３，２１に発熱体４，９が収納されているものの、冷却用ファン５で生じた空気流は、第２の発熱体９にも到達し、第２の発熱体９も冷却用ファン５により冷却されるので、第２の発熱体９用の冷却用ファンを設ける必要性がなく、冷却用ファンを削減することができる。
【００１９】
また、機械室内に配置された制御盤用ケースおよび付属盤用ケースは、通常発熱体からの熱気を外部に排出するために機械室壁面２２からそれぞれ離間して配置しなければならないが、この実施の形態の場合、付属盤用ケース２１と機械室壁面２２との間だけを離間することで、第１の発熱体４および第２の発熱体９からの熱を外部に排出することができ、機械室内での制御盤用ケース３および付属盤用ケース２１が必要とする占有スペースが少なくて済む。
【００２０】
実施の形態３．
図６はこの発明の実施の形態３のエレベータの制御装置の断面図である。
この実施の形態のエレベータの制御装置では、制御盤用ケース３内の電気部品と付属盤用ケース２１内の電気部品とを電気的に接続した第１の渡り線２５が、制御盤用ケース３および付属盤用ケース２１の底部に設けられた第１の渡り線用ダクト２６内に延設されている。また、制御盤用ケース３内の電気部品と付属盤用ケース２１内の電気部品とを電気的に接続した第２の渡り線２７が、制御盤用ケース３および付属盤用ケース２１の底部から高さ方向に離れて設けられた第２の渡り線用ダクト２８を貫通している。
他の構成は、実施の形態２と同様である。
【００２１】
この実施の形態では、第２の渡り線２７が、制御盤用ケース３および付属盤用ケース２１の底部から高さ方向に離れて設けられている。従って、実施の形態２のエレベータの制御装置と比較して、第１の渡り線用ダクト２６内を貫通した第１の渡り線２５の本数を削減することができ、第１の渡り線用ダクト２６の高さを実施の形態２の渡り線用ダクト２４と比較して低くすることができ、制御盤用ケース３および付属盤用ケース２１の全高Ｈを低くすることができる。
【００２２】
実施の形態４．
図７はこの発明の実施の形態４のエレベータの制御装置の平断面図、図８は図７のＶＩＩＩ−ＶＩＩＩ線に沿った矢視断面図である。
このエレベータの制御装置は、制御盤用ケース３０と、この制御盤用ケース３０内に設けられエレベータの運転を制御する電気部品である発熱体３１と、制御盤用ケース３０を貫通したダクト３２と、発熱体３１に固定され発熱体３１からの熱を吸収し、かつ放出するとともに放熱する放熱部である放熱フィン３３がダクト３２内に突出している熱伝達体３４と、ダクト３２内に設けられ放熱フィン３３に対向した冷却用ファン３５と、ダクト３２に形成された通気孔３６に設けられダクト３２の流路面積を縮小させ、ダクト３２の外部の空気をダクト３２内に導く平板状の案内部材３７とを備えている。
前記熱伝達体３４は、ヒートパイプ（図示せず）と、このヒートパイプを埋設した良熱伝導性のアルミニウム製の金属ブロック３８と、この金属ブロック３８と一体で放熱フィン３３とを備えている。
【００２３】
このエレベータの制御装置では、冷却用ファン３５の回転により、外部の空気が矢印Ｆに示すように冷却用ファン３５を通じて放熱フィン３３に向かって流れる。そこでは、発熱体３１からの熱がヒートパイプを通じて放熱フィン３３に伝達されており、空気の通過とともに放熱フィン３３が冷却され、発熱体３１が間接的に冷却される。
引き続き、空気は、矢印Ｇに示すように案内部材３７を通過するが、通過の際、案内部材３７により、空気の流路面積が縮小しており、空気の流速が増大し、動圧が大きくなるのに対して静圧が減少する。その結果、ダクト３２外の電気部品３９により生じた熱気は、矢印Ｉに示すように通気孔３６を通じて流入し、冷却用ファン３５からの空気と合流し、そのまま制御盤用ケース３０の外部に排出される。
【００２４】
このエレベータの制御装置によれば、ダクト３２の通気孔３６の近傍にダクト３２の流路面積を縮小させ、ダクト３２の外部の空気をダクト３２内に導く平板状の案内部材３７を設けたので、制御盤用ケース３０内では、強制対流が生じ、制御盤用ケース３０内で、ダクト３２の外部の電気部品３９の冷却効率が向上する。
【００２５】
【発明の効果】
以上説明したように、この発明に係るエレベータの制御装置によれば、制御盤用ケースと、この制御盤用ケース内に設けられエレベータの運転を制御する電気部品である第１の発熱体と、この第１の発熱体を冷却する冷却用ファンと、この冷却用ファンにより流れる空気の下流側に設けられ前記第１の発熱体よりも高温の電気部品である第２の発熱体と、前記制御盤用ケースに隣接して設けられたダクトとを備え、前記空気は、前記ダクトを通じて前記第２の発熱体に流れるようになっているので、空気流の下流側の第２の発熱体が確実に冷却され、第２の発熱体の冷却効率が向上する。
【００２６】
また、この発明に係るエレベータの制御装置によれば、制御盤用ケースと、この制御盤用ケース内に設けられエレベータの運転を制御する電気部品である発熱体と、前記制御盤用ケースを貫通したダクトと、前記発熱体に固定され発熱体からの熱を吸収し、かつ放出するとともに放熱する放熱部が前記ダクト内に突出している熱伝達体と、前記ダクト内に設けられ前記放熱部に対向した冷却用ファンと、前記ダクトに形成された通気孔の近傍に設けられダクトの流路面積を縮小させ、ダクトの外部の空気をダクト内に導く案内部材とを備えているので、制御盤用ケース内では、強制対流が生じ、制御盤用ケース内で、ダクトの外部の電気部品の冷却効率が向上する。
【図面の簡単な説明】
【図１】この発明の実施の形態１のエレベータの制御装置の正面図である。
【図２】図１のＩＩ−ＩＩ線に沿った断面図である。
【図３】図１のエレベータの制御装置の運搬時における様子を示す断面図である。
【図４】図１のエレベータの制御装置の別の使用態様を示す断面図である。
【図５】この発明の実施の形態２のエレベータの制御装置の断面図である。
【図６】この発明の実施の形態３のエレベータの制御装置の断面図である。
【図７】この発明の実施の形態４のエレベータの制御装置の平断面図である。
【図８】図７のＶＩＩＩ−ＶＩＩＩ線に沿った矢視断面図である。
【符号の説明】
１  昇降路壁面、２  固定ブロック、３，３０  制御盤用ケース、４  第１の発熱体、５，３５  冷却用ファン、６，３４  熱伝達体、７，３３  放熱フィン、８，２０，３２  ダクト、９  第２の発熱体、２１  付属盤用ケース、２２  機械室壁面、２５  第１の渡り線、２６  第１の渡り線用ダクト、２７  第２の渡り線、２８  第２の渡り線用ダクト、３１  発熱体、３６  通気孔、３７  案内部材。
【図１】
2004269244.tif 000003
【図２】
2004269244.tif 000004
【図３】
2004269244.tif 000005
【図４】
2004269244.tif 000006
【図５】
2004269244.tif 000007
【図６】
2004269244.tif 000008
【図７】
2004269244.tif 000009
【図８】
2004269244.tif 000010